(57)【要約】【課題】  従来の取付け部の表面側で摘みを前後に移動させるもののように取付け部の表面と回動用操作摘み部の間に隙間が必要でなく、汚れが付着し難く、掃除が簡単にできる。【解決手段】  取付け部１に回動自在に取付けられる回動体２と、回動体２に設けられ取付け部１の表面に露出する回動用操作摘み部３と、排水口４に配置されて排水口４の中心軸方向に前進後退自在となった排水栓５と、回動体２と排水栓５とを連結する連結手段６とを備えている。連結手段６は、回動用操作摘み部３を回動操作することによる回動体２の回転運動を前進後退運動に変換する変換機構７を備えていて、変換機構７で変換された前進後退運動により排水栓５を前進又は後退して排水口４を開閉するように構成してある。【選択図】        図１
2010174456.tif 000002
【特許請求の範囲】
【請求項１】
取付け部に回動自在に取付けられる回動体と、回動体に設けられ取付け部の表面に露出する回動用操作摘み部と、排水口に配置されて排水口の中心軸方向に前進後退自在となった排水栓と、回動体と排水栓とを連結する連結手段とを備え、該連結手段に、回動用操作摘み部を回動操作することによる回動体の回転運動を前進後退運動に変換する変換機構を設け、変換機構で変換された前進後退運動により排水栓を前進又は後退して排水口を開閉するように構成して成ることを特徴とする排水栓の開閉装置。
【請求項２】
一端部を排水栓側に連結したレリースワイヤの他端部に回動体の軸方向にのみ前進後退可能な移動体を設け、該移動体又は回動体のいずれか一方側に回動体の軸を中心に螺旋状となった螺旋状部を有するガイド部を設けると共に、いずれか他方にガイド部に係合して摺動する係合部とを設け、上記レリースワイヤ、移動体、ガイド部、係合部とにより変換機構を備えた連結手段を構成することを特徴とする請求項１記載の排水栓の開閉装置。
【請求項３】
ガイド部における螺旋状部の回動体の軸方向と平行な方向の両端部にそれぞれ回動体の軸を中心とする円弧となった移動体の前進位置を保持する前進位置保持部と後退位置を保持する後退位置保持部とを設け、前進位置保持部及び後退位置保持部の螺旋状部側の端部に、螺旋状部と前進位置保持部との間及び螺旋状部と後退位置保持部との間で係合部が移動する際に乗り越えるクリック部を設けて成ることを特徴とする請求項２記載の排水栓の開閉装置。
【請求項４】
回動用操作摘み部の背部の周囲に取付け部の表面に弾接する止水パッキンを設けて成ることを特徴とする請求項１乃至請求項３のいずれか一項に記載の排水栓の開閉装置。
【発明の詳細な説明】
【技術分野】
【０００１】
本発明は、排水栓を遠隔操作で開閉するための技術に関するものである。
【背景技術】
【０００２】
従来から、浴槽、洗面ボール等の排水口に配置した排水栓を遠隔操作で開閉するものが特許文献１等により知られている。
【０００３】
特許文献１に示された従来例は、浴槽のフランジ、洗面ボールのフランジ、カウンター等の取付け部に前進後退自在に取付けた操作部と、浴槽、洗面ボール等の槽体の底部に設けた排水口に配置されて排水口の中心軸方向に前進後退自在となった排水栓とを備え、回動体と排水栓とをレリースワイヤで連結して排水栓の開閉装置を構成してある。
【０００４】
この従来のものはポップアップ式排水装置と称されるもので、操作部の前端部に設けた摘み部を取付け部の表面から突出させ、該摘み部を指で摘んで引っ張ったり、押したりすることで操作部を前進後退させ（前後方向に移動させ）、この操作部の前後方向の移動によりレリースワイヤを介して排水栓を排水口に対して前進又は後退させて排水栓により排水口を開いたり、閉じたりするようになっている。
【先行技術文献】
【特許文献】
【０００５】
【特許文献１】特開２００４−６８３２７号公報
【発明の概要】
【発明が解決しようとする課題】
【０００６】
しかしながら、上記特許文献１に示されるようなポップアップ式排水装置と称されるものにおいては以下の問題点がある。
【０００７】
すなわち、上記のように、操作部に設けた摘み部を指で摘んで引っ張ったり、押し込んだりする操作を行って操作部を前進後退させるものであるから、取付け部から突出する摘み部の周囲と取付け部の表面との間には摘み部を取付け部の表面側で前後に移動することを許容するための隙間が必要であり、この隙間部分に汚れが付着し易く、また、摘み部の周囲と取付け部の表面との間の隙間部分に付着した汚れは掃除がし難いという問題がある。
【０００８】
また、操作部が取付け部に対して前進後退自在となるように操作部を取付け部に貫通して取付けているため、取付け部における操作部の貫通箇所から水が浸入しやすいという問題がある。
【０００９】
本発明の排水栓の開閉装置は、上記した従来の問題点を解決することを課題としている。
【課題を解決するための手段】
【００１０】
上記課題を解決するために、本発明は、以下のような構成となっている。
【００１１】
本発明の排水栓の開閉装置は、取付け部１に回動自在に取付けられる回動体２と、回動体２に設けられ取付け部１の表面に露出する回動用操作摘み部３と、排水口４に配置されて排水口４の中心軸方向に前進後退自在となった排水栓５と、回動体２と排水栓５とを連結する連結手段６とを備えている。上記連結手段６は、回動用操作摘み部３を回動操作することによる回動体２の回転運動を前進後退運動に変換する変換機構７を備えていて、変換機構７で変換された前進後退運動により排水栓５を前進又は後退して排水口４を開閉するように構成してある。
【００１２】
このような構成とすることで、回動体２に設けた回動用操作摘み部３を指で摘んで回動操作することにより、回動体２の回動運動を変換機構７により排水栓５の前進後退運動に変換して、排水口４を開閉することができる。このように回動用操作摘み部３の回動操作で排水栓５による排水口４の開閉ができるので、従来の摘み部を前進後退操作させるもののように、回動用操作摘み部３と取付け部１の表面との間に隙間を必要とせず、回動用操作摘み部３と取付け部１との間に汚れが付着し難くなる。
【００１３】
また、一端部を排水栓５側に連結したレリースワイヤ１２の他端部に回動体２の軸方向にのみ前進後退可能な移動体１１を設け、該移動体１１又は回動体２のいずれか一方側に回動体２の軸を中心に螺旋状となった螺旋状部８を有するガイド部９を設けると共に、いずれか他方にガイド部９に係合してガイド部９に対して相対的に移動する係合部１０を設け、上記レリースワイヤ１２、移動体１１、ガイド部９、係合部１０により変換機構７を備えた連結手段６を構成することが好ましい。
【００１４】
このような構成とすることで、回動用操作摘み部３を回動操作して回動体２を回動すると、螺旋状部８を有するガイド部９と係合部１０とよりなる変換機構７を介して回動運動を移動体の前進後退運動に変換し、移動体１１の前進後退運動をレリースワイヤ１２を介して排水栓５に伝えて排水栓５を前進、後退させて排水口４を開閉できる。このように本発明によれば、螺旋状部８を有するガイド部９と係合部１０とで変換機構７を構成してあるので、変換機構７を備えた連結手段６の構成を簡略化できる。
【００１５】
また、ガイド部９における螺旋状部８の回動体２の軸方向と平行な方向の両端部にそれぞれ回動体２の軸を中心とする円弧となった移動体１１の前進位置を保持する前進位置保持部１３と後退位置を保持する後退位置保持部１４とを設け、前進位置保持部１３及び後退位置保持部１４の螺旋状部８側の端部に、螺旋状部８と前進位置保持部１３との間及び螺旋状部８と後退位置保持部１４との間で係合部１０が移動する際に乗り越えるクリック部１５を設けることが好ましい。
【００１６】
このような構成とすることで、螺旋状部８の一端部の前進位置保持部１３又は他端部の後退位置保持部１４に係合部１０を位置させることで、排水栓５が後退して排水口４を閉じた状態又は排水栓５が前進して排水口４を開いた状態を保持することができる。また、係合部１０が螺旋状部８から前進位置保持部１３又は他端部の後退位置保持部１４に移動する際、クリック部１５を乗り越えるので、係合部１０が前進位置保持部１３又は他端部の後退位置保持部１４に位置したことをクリック感により確認することができる。
【００１７】
また、回動用操作摘み部３の背部の周囲に取付け部１の表面に弾接する止水パッキン１７を設けることが好ましい。
【００１８】
このように回動用操作摘み部３の背部の周囲に取付け部１の表面に弾接する止水パッキン１７を設けることで、取付け部１の表面と回動用操作摘み部３との間によりいっそう汚れが入らないのみならず、水が浸入するのを防止することができる。
【発明の効果】
【００１９】
本発明は、回動用操作摘み部を回動操作することによる回動体の回動運動を、回動体と排水栓とを連結する連結手段に設けた変換機構により前進後退運動に変換して排水栓を前進後退させて排水口を開閉するものであるから、従来の取付け部の表面側で摘みを前後に移動させるもののように取付け部の表面と回動用操作摘み部の間に隙間が必要でなく、該隙間部分に汚れが付着し難く、掃除が簡単にできる。
【図面の簡単な説明】
【００２０】
【図１】本発明の排水栓の開閉装置の一部省略断面図である。
【図２】同上のガイド部を示し、（ａ）は概略斜視図であり、（ｂ）は２次元に展開した展開図である。
【図３】本発明の他の実施形態のガイド部を示し、（ａ）は概略斜視図であり、（ｂ）は２次元に展開した展開図である。
【図４】本発明の排水栓の開閉装置の他の実施形態の一部省略断面図である。
【図５】同上のガイド部を示し、（ａ）は概略斜視図であり、（ｂ）は２次元に展開した展開図である。
【発明を実施するための形態】
【００２１】
以下、本発明を添付図面に示す実施形態に基いて説明する。
【００２２】
図１に示すように、浴槽、洗面ボール等の槽体１６の底部に排水口４が設けてあり、排水口４内には排水口４の中心軸方向と同じ方向に前進後退自在な排水栓５が設けてある。
【００２３】
浴槽のフランジ、洗面ボールのフランジ、カウンター等の取付け部１には操作側ユニット３４が取付けてある。操作側ユニット３４は、主体を構成する筒状ハウジング部１８に、回動体２を回動自在に取付けると共に移動体１１を前進後退自在に取付け、更に、筒状ハウジング部１８内に回動体２の回動運動を移動体１１の前進後退運動に変換する変換機構７を内装することで構成してある。
【００２４】
操作側ユニット３４の主体を構成する筒状ハウジング部１８は、取付け部１に上下に貫通して形成した取付け孔３５に嵌め込んであって、筒状ハウジング部１８の前端に設けたフランジ部１９をシール材２０を介して取付け部１の表面に当接し、取付け部１の裏面側から筒状ハウジング部１８にナット２１を螺合することでフランジ部１９とナット２１とで取付け部１を挟持して取付けてある。
【００２５】
筒状ハウジング部１８は一端部が底部２２となり、内部に仕切り部２３が設けてあり、底部２２と仕切り部２３との間が変換機構収納部２４となっている。
【００２６】
回動体２は、下部が円柱状又は円筒状をした回動嵌め込み部２５となっており、回動嵌め込み部２５の上端部から上方に軸部２６を突設し、軸部２６の上端部に円板状をした回動用操作摘み部３を設けて構成してある。回動用操作摘み部３の背部の周囲に取付け部１の表面に弾接する止水パッキン１７が設けてある。
【００２７】
回動嵌め込み部２５は外面部に係合部１０となる突起が設けてあり、この回動嵌め込み部２５は上記変換機構収納部２４に配置してある。軸部２６は仕切り部２３に設けた孔２７に回転自在に嵌挿してあり、円板状をした回動操作摘み部３はフランジ部１９の径よりも大径となっていて取付け部１の表面側に位置している。
【００２８】
筒状ハウジング部１８の底部２２にはレリースワイヤ１２のアウターチューブ２８の端部が連結してある。レリースワイヤ１２のインナーワイヤ２９の端部は底部２２に設けた孔３０に前進後退自在に挿通してあり、該インナーワイヤ２９が変換機構収納部２４内に前進後退自在に配置した移動体１１の下端部に結合してある。なお、移動体１１の下端部に軸部を設けて該軸部を底部２２に設けた孔３０に前進後退自在に挿通し、軸部の下端部にインナーワイヤ２９を結合してもよい。
【００２９】
移動体１１は変換機構収納部２４内で回動体２の軸方向（軸方向と平行な方向）に前進後退自在であるが回転しないように回転規制がなされている。回転規制としては例えば移動体１１の外面部又は筒状ハウジング部１８の内面部のいずれか一方に回動体２の軸方向と平行な溝３７を設けると共に他方に溝３７に摺動自在に係合する突起３８を設けることで、移動体１１が前進後退は自在であるが、回転しないようにできる。
【００３０】
移動体１１は上方に開口する円状をした穴部３１が形成してあり、穴部３１の内周部に回動体２の軸を中心に螺旋状となった螺旋状部８を有するガイド部９となる溝が設けてあり、穴部３１に回動体２の回動嵌め込み部２５は嵌め込み、係合部１０となる突起をガイド部９となる溝に移動自在に嵌め込んである。
【００３１】
図２に示す実施形態でガイド部９は、螺旋溝よりなる螺旋状部８の回動体２の軸方向と平行な方向の両端部にそれぞれ回動体２の軸を中心とする円弧となった円弧溝よりなる移動体１１の前進位置保持部１３と後退位置保持部１４とが設けてある。
【００３２】
また、上記前進位置保持部１３及び後退位置保持部１４の螺旋状部８側の端部に、螺旋状部８と前進位置保持部１３との間及び螺旋状部８と後退位置保持部１４との間で係合部１０が移動する際に乗り越えるクリック部１５となる山形形状をした突起が設けてある。
【００３３】
したがって、回動用操作摘み部３を指で摘んで回動操作をすると、回動体２が回動し、係合部１０がガイド部９の螺旋状部８に沿って回動する。このように係合部１０がガイド部９の螺旋状部８に沿って回動することで、回転が規制された移動体１１は前進又は後退するように移動する。
【００３４】
ここで、上記レリースワイヤ１２の他端部が排水栓５側に連結してあり、上記移動体１１の前進後退運動によりインナーワイヤ２９を前進、後退させ、インナーワイヤ２９の前進、後退により排水栓５が排水口４に対して前進後退して排水口４を開閉するようになっている。
【００３５】
したがって、レリースワイヤ１２、移動体１１、ガイド部９、係合部１０により連結手段６が構成してあり、ガイド部９、係合部１０により回動体２の回動運動を移動体１１の前進後退運動に変換するための変換機構７を構成している。
【００３６】
係合部１０がガイド部９の前進位置保持部１３に位置している状態では排水栓５が排水口４に対して後退して排水口４を閉じている。この状態で回動用操作摘み部３を指で摘んで一方向に回動操作すると、係合部１０がクリック部１５を乗り越えて螺旋状部８に沿いながら回動することになる。このように係合部１０が前進位置保持部１３から出て螺旋状部８に沿いながら回動すると、移動体１１が後退し、移動体１１の後退によりインナーワイヤ２９が押され、排水栓５が排水口４に対して前進して排水口４を開く。更に回動用操作摘み部３を一方向に回動すると係合部１０がクリック部１５を乗り越えて後退位置保持部１４に入り込んで移動体１１が後退位置に位置した状態で保持される。このように、移動体１１が後退位置で保持されると、排水栓５が排水口４に対して前進した状態が維持されて排水口４の開状態が維持される。
【００３７】
また、係合部１０が後退位置保持部１４に位置して排水口４の開状態が維持されている状態で、回動用操作摘み部３を上記とは逆方向に回動すると、係合部１０がクリック部１５を乗り越えて螺旋状部８に沿いながら上記とは逆に回動することになる。このように係合部１０が後退位置保持部１４から出て螺旋状部８に沿いながら逆に回動すると、移動体１１が前進し、移動体１１の前進によりインナーワイヤ２９が引かれ、排水栓５が排水口４に対して後退して排水口４を閉じると共に、係合部１０がクリック部１５を乗り越えて前進位置保持部１３に入り込んで移動体１１が前進位置に位置した状態で保持される。このように、移動体１１が前進位置で保持されると、排水栓５が排水口４に対して後退して排水口４が閉じられた状態が維持される。
【００３８】
上記操作において、係合部１０が螺旋状部８から前進位置保持部１３又は他端部の後退位置保持部１４に移動する際、クリック部１５を乗り越えるので、係合部１０が前進位置保持部１３又は他端部の後退位置保持部１４に位置したこと、つまり、排水口４が閉じた状態が維持されていることや開いた状態が維持されていることをクリック感により確認することができる。
【００３９】
ここで、本発明においては、回動用操作摘み部３の回動操作で排水栓５による排水口４の開閉をするように構成しているので、従来の摘み部を前進、後退操作させるもののように、回動用操作摘み部３と取付け部１の表面との間に隙間を必要としない。このため回動用操作摘み部３と取付け部１との間に汚れが付着し難くなる。特に、実施形態のように回動用操作摘み部３の背部の周囲に取付け部１の表面に弾接する止水パッキン１７を設けると、取付け部１の表面と回動用操作摘み部３との間によりいっそう汚れが入らず、また、水が浸入するのを防止することができる。
【００４０】
次に、図３に基づいて本発明の他の実施形態を説明する。
【００４１】
上記実施形態では回動用操作摘み部３を一方向に回動することで排水栓５を前進させて排水口４を開にすると共に、回動用操作摘み部３を他方向に回動することで排水栓５を後退させて排水口４を閉にするように構成した例を示したが、本実施形態においては、回動用操作摘み３の一方向の回動又は他方向の回動により移動体１１の後退、前進を交互に行うようにしてある。
【００４２】
すなわち、移動体１１の穴部３１の内周部の周方向に半周離れた位置で且つ回動体２の軸方向にずれた位置に回動体２の軸を中心とする円弧となった円弧溝よりなる前進位置保持部１３と後退位置保持部１４とを設け、前進位置保持部１３の一端部と後退位置保持部１４の他端部とを一方の螺旋溝よりなる螺旋状部８で連通させ、前進位置保持部１３の他端部と後退位置保持部１４の一端部とを他方の螺旋溝よりなる螺旋状部８で連通させてガイド部９を構成したもので、該ガイド部９を２次元に展開すると図３（ｂ）に示すような状態となる。
【００４３】
この実施形態において、係合部１０がガイド部９の前進位置保持部１３に位置している状態が、前述の実施形態と同様に移動体１１が前進位置で保持され、排水栓５が排水口４に対して後退して排水口４が閉じられた状態が維持された状態である。この係合部１０が前進位置保持部１３に位置している状態で、回動用操作摘み部３を一方向に回すと、係合部１０が前進位置保持部１３の一端部からクリック部１５を乗り越えて一方の螺旋状部８に進入し、一方の螺旋状部８に沿いながら回動し、後退位置保持部１４の他端部からクリック部１５を乗り越えて後退位置保持部１４に入り込んで移動体１１を後退位置に位置した状態で保持し、排水栓５が排水口４に対して前進した状態が維持されて排水口４の開状態を維持することができる。また、係合部１０が前進位置保持部１３に位置している状態で、回動用操作摘み部３を上記とは逆に他方向に回すと、係合部１０が前進位置保持部１３の他端部からクリック部１５を乗り越えて他方の螺旋状部８に進入し、他方の螺旋状部８に沿いながら回動し、後退位置保持部１４の一端部からクリック部１５を乗り越えて後退位置保持部１４に入り込んで移動体１１を後退位置に位置した状態で保持し、排水栓５が排水口４に対して前進した状態が維持されて排水口４の開状態を維持することができる。
【００４４】
また、係合部１０が後退位置保持部１４に位置している状態で、回動用操作摘み部３を一方向に回した場合、他方に回した場合のいずれの場合も、上記とは逆の順序で係合部１０を前進位置保持部１３に移動させることができる。
【００４５】
このように、本実施形態においては回動用操作摘み部３を一方向に回動することで、排水栓５による排水口４の閉→開→閉→開→……を交互に設定できる。また、回動用操作摘み部３を他方向に回動しても、同様に排水栓５による排水口４の閉→開→閉→開→……を交互に設定できる。
【００４６】
図４、図５には本発明の更に他の実施形態が示してある。本実施形態においては、図４に示すように、移動体１１の下端部と筒状ハウジング部１８の底部２２との間にはばね材３２が介在してあって、移動体１１を前進させる方向にばね力が付与してある。また、本実施形態においては、図５（ａ）に示すように移動体１１の穴部３１の内周部の周方向に螺旋溝よりなる螺旋状部８を設け、螺旋状部８の回動体２の軸方向における両端部に溝よりなる前進位置保持部１３の一端部と後退位置保持部１４の他端部とを連通形成してあり、更に、前進位置保持部１３の他端部と後退位置保持部１４の一端部とを回動体２の軸方向と略平行な復帰溝３３により連通してガイド部９を構成したもので、該ガイド部９を２次元に展開すると図５（ｂ）に示すような状態となる。
【００４７】
この実施形態において、係合部１０が前進位置保持部１３に位置して排水栓５を後退させて排水口４を閉じている状態では、ばね材３２のばね力で係合部１０が前進位置保持部１３に位置している状態が保持されるもので、排水口４の閉状態が確実に保持される。この係合部１０が前進位置保持部１３に位置している状態で、回動用操作摘み部３を一方向に回すと、係合部１０が前進位置保持部１３から螺旋状部８に進入し、一方の螺旋状部８に沿いながら回動し、後退位置保持部１４に入り込んで移動体１１を後退位置に位置した状態で保持し、排水栓５が排水口４に対して前進した状態が維持されて排水口４の開状態を維持することができる。
【００４８】
このように係合部１０が後退位置保持部１４に位置して排水口４を開にしている状態で、回動用操作摘み部３を一方向に僅かに回すと係合部１０が復帰溝３３の一端部に到り、ばね材３２のばね力で移動体１１が前進し、復帰溝３３が前進して係合部１０が復帰溝３３の他端部の前進位置保持部１３に位置し、ばね材３２のばね力で係合部１０が前進位置保持部１３に位置している状態が保持される。
【００４９】
本実施形態では、係合部１０が後退位置保持部１４に位置した排水口４が開の状態から排水口４を閉じるに当たり、回動用操作摘み部３を一方向に僅かに回すだけでばね材３２のばね力で自動的に排水口４が閉じることになり、排水口４を閉じる操作が簡単に行えることになる。
【符号の説明】
【００５０】
１  取付け部
２  回動体
３  回動用操作摘み部
４  排水口
５  排水栓
６  連結手段
７  変換機構
８  螺旋状部
９  ガイド部
１０  係合部
１１  移動体
１２  レリースワイヤ
１３  前進位置保持部
１４  後退位置保持部
１５  クリック部
【図１】
2010174456.tif 000003
【図２】
2010174456.tif 000004
【図３】
2010174456.tif 000005
【図４】
2010174456.tif 000006
【図５】
2010174456.tif 000007